【手続補正書】
【提出日】平成29年9月27日(2017.9.27)
【手続補正１】
【補正対象書類名】特許請求の範囲
【補正対象項目名】全文
【補正方法】変更
【補正の内容】
【特許請求の範囲】
【請求項１】
利用者が虚像と外景とを視認可能な頭部装着型表示装置であって、
前記利用者に前記虚像を視認させる画像表示部と、
現実世界に付加して表示するための仮想オブジェクトを用いて、一連の動作手順を表した情報である手順情報を特定する特定部であって、予め用意された複数の前記手順情報の中から、少なくとも１つの前記手順情報を特定する特定部と、
特定された前記手順情報と、特定された前記手順情報の前後のうちの少なくともいずれか一方に付随する前記手順情報である付随手順情報とを取得し、取得した前記手順情報と前記付随手順情報とのうちの少なくとも一方に含まれている前記仮想オブジェクトを表す前記虚像を前記画像表示部に形成させる取得部と、
を備える、頭部装着型表示装置。
【請求項２】
請求項１に記載の頭部装着型表示装置であって、
前記予め用意された複数の手順情報には、それぞれ、前記一連の動作手順に関するタグ情報が含まれ、
前記特定部は、前記タグ情報を用いて前記手順情報を特定する、頭部装着型表示装置。
【請求項３】
請求項２に記載の頭部装着型表示装置であって、さらに、
前記頭部装着型表示装置を装着した状態における前記利用者の視界方向の外景画像を取得する画像取得部を備え、
前記特定部は、
取得された前記外景画像を画像認識することで、現実世界に実在する実オブジェクトを表す情報を取得し、
取得した前記実オブジェクトを表す情報と前記タグ情報とを照合することで、前記手順情報を特定する、頭部装着型表示装置。
【請求項４】
請求項２に記載の頭部装着型表示装置であって、
前記特定部は、前記タグ情報の一覧を表す前記虚像を前記画像表示部に形成させ、前記利用者からの前記タグ情報の指定を取得することで、前記手順情報を特定する、頭部装着型表示装置。
【請求項５】
請求項２に記載の頭部装着型表示装置であって、
前記特定部は、
前記利用者からのキーワードの入力を取得し、
取得した前記キーワードと前記タグ情報とを照合することで、前記手順情報を特定する、頭部装着型表示装置。
【請求項６】
請求項２に記載の頭部装着型表示装置であって、さらに、
前記利用者の発声内容を取得する音取得部を備え、
前記特定部は、取得された前記発声内容と前記タグ情報とを照合することで、前記手順情報を特定する、頭部装着型表示装置。
【請求項７】
請求項２から請求項６のいずれか一項に記載の頭部装着型表示装置であって、
前記タグ情報には、
前記一連の動作手順の出所に関する情報と、
前記一連の動作手順の実現条件に関する情報と、
前記一連の動作手順の評価に関する情報と、
が含まれ、
前記特定部は、さらに、前記出所に関する情報と、前記実現条件に関する情報と、前記評価に関する情報と、のうちの少なくともいずれかを考慮して、前記手順情報を特定する、頭部装着型表示装置。
【請求項８】
請求項１から請求項７のいずれか一項に記載の頭部装着型表示装置であって、
前記付随手順情報は、
前記一連の動作手順の出所に関する情報と、
前記一連の動作手順の実現条件に関する情報と、
前記一連の動作手順の評価に関する情報と、
のうちの少なくともいずれかを考慮して決定されている、頭部装着型表示装置。
【請求項９】
請求項１から請求項８のいずれか一項に記載の頭部装着型表示装置であって、さらに、
前記一連の動作手順のモデルであって、前記一連の動作手順を表す前記仮想オブジェクトの元となるモデルを生成するモデル生成部と、
生成された前記モデルに前記一連の動作手順に関するタグ情報を付して、前記手順情報を生成する生成部と、
を備える、頭部装着型表示装置。
【請求項１０】
請求項９に記載の頭部装着型表示装置であって、さらに、
前記利用者の発声内容を取得する音取得部と、
前記利用者に関する情報を記憶するユーザー情報記憶部と、
を備え、
前記生成部は、さらに、前記モデルの生成中において取得された前記発声内容と、前記利用者に関する情報と、のうちの少なくともいずれかを用いて、前記タグ情報を抽出する、頭部装着型表示装置。
【請求項１１】
請求項９または請求項１０のいずれか一項に記載の頭部装着型表示装置であって、
前記生成部は、
前記一連の動作手順の出所に関する情報と、
前記一連の動作手順の実現条件に関する情報と、
前記一連の動作手順の評価に関する情報と、
前記一連の動作手順を実行するにあたって参考に資する情報と、
のうちの少なくともいずれかを前記タグ情報とする、頭部装着型表示装置。
【請求項１２】
頭部装着型表示装置を制御する方法であって、
現実世界に付加して表示するための仮想オブジェクトを用いて、一連の動作手順を表した情報である手順情報を特定する工程であって、予め用意された複数の前記手順情報の中から、少なくとも１つの前記手順情報を特定する工程と、
特定された前記手順情報と、特定された前記手順情報の前後のうちの少なくともいずれか一方に付随する前記手順情報である付随手順情報とを取得する工程と、
取得した前記手順情報および前記付随手順情報に含まれている前記仮想オブジェクトを表す虚像を前記頭部装着型表示装置に形成させる工程と、
を備える、方法。
【請求項１３】
コンピュータープログラムであって、
現実世界に付加して表示するための仮想オブジェクトを用いて、一連の動作手順を表した情報である手順情報を特定する特定機能であって、予め用意された複数の前記手順情報の中から、少なくとも１つの前記手順情報を特定する特定機能と、
特定された前記手順情報と、特定された前記手順情報の前後のうちの少なくともいずれか一方に付随する前記手順情報である付随手順情報とを取得する取得機能と、
取得した前記手順情報および前記付随手順情報に含まれている前記仮想オブジェクトを表す虚像を頭部装着型表示装置に形成させる形成機能と、
をコンピューターに実現させるための、コンピュータープログラム。
【手続補正２】
【補正対象書類名】明細書
【補正対象項目名】００１２
【補正方法】変更
【補正の内容】
【００１２】
（５）上記形態の頭部装着型表示装置において；前記特定部は；前記利用者からのキーワードの入力を取得し；取得した前記キーワードと前記タグ情報とを照合することで、前記手順情報を特定してもよい。
この形態の頭部装着型表示装置によれば、特定部は、利用者の意図に基づいて、手順情報を特定することができる。また、特定部は、利用者からのキーワードに基づいて手順情報を特定することができるため、利用者における入力の自由度を高めることができる。
【手続補正３】
【補正対象書類名】明細書
【補正対象項目名】００３２
【補正方法】変更
【補正の内容】
【００３２】
図１に示すように、右保持部２１は、右光学像表示部２６の端部ＥＲから利用者の側頭部に対応する位置にかけて延伸して設けられている。左保持部２３は、左光学像表示部２８の端部ＥＬから利用者の側頭部に対応する位置にかけて、延伸して設けられている。右保持部２１および左保持部２３は、眼鏡のテンプル（つる）のようにして、利用者の頭部に画像表示部２０を保持する。なお、右保持部２１および左保持部２３を総称して単に「保持部」とも呼ぶ。
【手続補正４】
【補正対象書類名】明細書
【補正対象項目名】００４７
【補正方法】変更
【補正の内容】
【００４７】
無線通信部１３２は、所定の無線通信規格に則って、外部機器ＯＡとの間で無線通信を行う。所定の無線通信規格とは、例えば、赤外線、Ｂｌｕｅｔｏｏｔｈ（登録商標）に例示される近距離無線通信、ＩＥＥＥ８０２．１１に例示される無線ＬＡＮ等である。
【手続補正５】
【補正対象書類名】明細書
【補正対象項目名】００５５
【補正方法】変更
【補正の内容】
【００５５】
インターフェイス１８０は、所定の有線通信規格に則って、外部機器ＯＡとの間で通信を行う。所定の有線通信規格としては、例えば、ＭｉｃｒｏＵＳＢ（Universal Serial Bus）、ＵＳＢ、ＨＤＭＩ（High Definition Multimedia Interface、ＨＤＭＩは登録商標）、ＤＶＩ（Digital Visual Interface）、ＶＧＡ（Video Graphics Array）、コンポジット、ＲＳ−２３２Ｃ（Recommended Standard 232）、ＩＥＥＥ８０２．３に例示される有線ＬＡＮ等である。外部機器ОＡとしては、例えば、パーソナルコンピューターＰＣや携帯電話端末、ゲーム端末等を利用することができる。
【手続補正６】
【補正対象書類名】明細書
【補正対象項目名】００５６
【補正方法】変更
【補正の内容】
【００５６】
図３は、利用者に視認される虚像の一例を示す説明図である。図３（Ａ）は、拡張現実感処理を実行していない場合の利用者の視野ＶＲを例示している。上述のようにして、ＨＭＤ１００の利用者の両眼に導かれた画像光が利用者の網膜に結像することにより、利用者は虚像ＶＩを視認する。図３（Ａ）の例では、虚像ＶＩは、ＨＭＤ１００のＯＳ１５０の待ち受け画面である。利用者は、右光学像表示部２６および左光学像表示部２８を透過して外景ＳＣＮを視認する。このように、本実施形態のＨＭＤ１００の利用者は、視野ＶＲのうち虚像ＶＩが表示された部分については、虚像ＶＩと、虚像ＶＩの背後に外景ＳＣＮとを見ることができる。また、視野ＶＲのうち虚像ＶＩが表示されていない部分については、光学像表示部を透過して、外景ＳＣＮを直接見ることができる。
【手続補正７】
【補正対象書類名】明細書
【補正対象項目名】００５７
【補正方法】変更
【補正の内容】
【００５７】
図３（Ｂ）は、拡張現実感処理を実行している場合の利用者の視野ＶＲを例示している。拡張現実感処理部１４９が拡張現実感処理を実行することによって、利用者は、仮想オブジェクトを含んだ虚像ＶＩを視認する。図３（Ｂ）の例では、仮想オブジェクトＶＯ１は、外景ＳＣＮの現実世界の山（実オブジェクト）の近傍に表示された吹き出し形状の情報である。仮想オブジェクトＶＯ２は、外景ＳＣＮ内の現実世界の木（実オブジェクト）に重畳するように表示されたノート形状の情報である。仮想オブジェクトＶＯ３は、外景ＳＣＮの現実世界の道（実オブジェクト）の上に重畳するように配置されたリンゴの画像である。仮想オブジェクトＶＯ４は、リンゴの画像、すなわち、仮想オブジェクトＶＯ３の近傍に表示された吹き出し形状の情報である。このように、利用者は、虚像ＶＩに含まれる仮想オブジェクトＶＯ１〜ＶＯ４と、虚像ＶＩの背後に透過して見える外景ＳＣＮ内の実オブジェクトと、の両方を見ることで、拡張現実感を体感することができる。
【手続補正８】
【補正対象書類名】図面
【補正対象項目名】図３
【補正方法】変更
【補正の内容】
【図３】
2016110542.tif 000001